(57)【要約】【課題】圧縮モードの起動方法、端末及び通信システムを提供する。【解決手段】該方法は、端末が無線ネットワークコントローラからの測定ターゲットセルの情報を受信し、端末が測定ターゲットセルの情報に基づいて転送間隔様式シーケンスを確定し、端末が確定した転送間隔様式シーケンスに従って圧縮モードを起動してターゲットセルを測定するステップを含む。本発明によると、負荷分散メカニズム又はサービスベアラ特性メカニズムの場合に圧縮モードを起動できない問題を解決し、端末のサービス品質及びシステムの性能を向上する。【選択図】図２
2013533698.tif 000002
【特許請求の範囲】
【請求項１】
端末が、無線ネットワークコントローラからの測定ターゲットセルの情報を受信し、
前記端末が、前記測定ターゲットセルの情報に基づいて転送間隔様式シーケンスを確定し、
前記端末が確定した転送間隔様式シーケンスに従って圧縮モードを起動して前記ターゲットセルを測定するステップを含む圧縮モードの起動方法。
【請求項２】
前記端末が無線ネットワークコントローラからの測定ターゲットセルの情報を受信する前、
前記端末が、測定用途情報と、前記測定用途に対応する転送間隔様式シーケンスマーク情報と、前記測定用途に対応する転送間隔情報とを含む転送間隔様式シーケンス情報を記憶するステップを更に含み、
前記端末が前記測定ターゲットセルの情報に基づいて転送間隔様式シーケンスを確定するステップが、前記端末が前記測定ターゲットセルの情報と前記転送間隔様式シーケンス情報に基づいて転送間隔様式シーケンスを確定することを含む請求項１に記載の方法。
【請求項３】
前記端末が、
前記端末と、ノードＢと、前記無線ネットワークコントローラが前記転送間隔様式シーケンス情報を予め約定し、前記端末が約定した前記転送間隔様式シーケンス情報を記憶する方式と、
前記無線ネットワークコントローラが前記端末とノードＢに前記転送間隔様式シーケンス情報を配置し、前記端末が配置された前記転送間隔様式シーケンス情報を記憶する方式の中の一つによって前記転送間隔様式シーケンス情報を記憶する請求項２に記載の方法。
【請求項４】
前記測定ターゲットセルの情報が、セルマークと、セルが用いる方式種別指示と、セルの周波数とを含み、前記セルが用いる方式は、周波数分割複信方式、時分割複信方式、全地球移動通信システムＧＳＭ方式または進化型ユニバーサル地上無線アクセスＥ−ＵＴＲＡ方式を含み、
前記端末が転送間隔様式シーケンスを確定するステップが、
前記ターゲットセルが前記周波数分割複信方式を用いる場合、前記端末が測定用途が周波数分割複信測定である転送間隔様式シーケンスを選択し、
前記ターゲットセルが前記時分割複信方式を用いる場合、前記端末が測定用途が時分割複信測定である転送間隔様式シーケンスを選択し、
前記ターゲットセルが前記ＧＳＭ方式を用いる場合、前記端末がＧＳＭ搬送波受信信号強度指示測定と、ＧＳＭ基地局カラーコード認証初期認証と、ＧＳＭ基地局カラーコード認証再確認との三つの測定用途に対応する転送間隔様式シーケンスを選択し、
前記ターゲットセルが前記Ｅ−ＵＴＲＡ方式を用いる場合、前記端末が測定用途が時分割複信測定である転送間隔様式シーケンスを選択する請求項２に記載の方法。
【請求項５】
前記測定ターゲットセルが、
負荷分散メカニズムにおいて、前記無線ネットワークコントローラが選択した負荷を分散するための現在サービングセルの搬送波周波数間及び/又はシステム間の隣接セルと、
サービスベアラ特性メカニズムにおいて、前記無線ネットワークコントローラが選択した前記端末のサービスを搭載する（bearing）ためのアクセスセルの搬送波周波数間及び/又はシステム間の隣接セルとの中の少なくとも一つを含む請求項１に記載の方法。
【請求項６】
前記端末が確定した転送間隔様式シーケンスに基づいて圧縮モードを起動するステップが、
前記端末が確定した転送間隔様式シーケンスをノードＢに通知し、
前記端末と前記ノードＢが前記転送間隔様式シーケンスに従って測定ターゲットセル用の転送間隔を生成することを含む請求項１に記載の方法。
【請求項７】
前記端末が無線ネットワークコントローラからの測定ターゲットセルの情報を受信する前、
前記無線ネットワークコントローラが無線リソース制御ＲＲＣプロトコル層の制御シグナルを介して前記測定ターゲットセルの情報を端末に送信するステップを更に含み、
前記端末が前記確定した転送間隔様式シーケンスをノードＢに通知するステップが、前記端末が高速専用物理制御チャネルＨＳ−ＤＰＣＣＨを介して前記確定した転送間隔様式シーケンスを前記ノードＢに通知するステップを含む請求項６に記載の方法。
【請求項８】
前記端末が無線ネットワークコントローラからの測定ターゲットセルの情報を受信した後、
前記端末が現在既に起動した転送間隔様式シーケンスを停止し、ノードＢに前記現在既に起動した転送間隔様式シーケンスを停止したことを通知するステップを更に含む請求項１乃至７の中のいずれかに記載の方法。
【請求項９】
無線ネットワークコントローラからの測定ターゲットセルの情報を受信する受信ブロックと、
前記測定ターゲットセルの情報に基づいて転送間隔様式シーケンスを確定するシーケンス確定ブロックと、
確定した転送間隔様式シーケンスに基づいて圧縮モードを起動し、前記ターゲットセルを測定する起動ブロックと、を含む端末。
【請求項１０】
前記端末が、更に、
測定用途情報と、前記測定用途に対応する転送間隔様式シーケンスマーク情報と、前記測定用途に対応する転送間隔情報とを含む転送間隔様式シーケンス情報を記憶する情報記憶ブロックを含み、
前記シーケンス確定ブロックが、前記測定ターゲットセルの情報及び前記転送間隔様式シーケンス情報に基づいて転送間隔様式シーケンスを確定するシーケンス確定ユニットを含む請求項９に記載の端末。
【請求項１１】
前記受信ブロックが受信する測定ターゲットセルの情報が、セルマークと、セルが用いる方式種別指示と、セルの周波数とを含み、前記セルが用いる方式は、周波数分割複信方式、時分割複信方式、全地球移動通信システムＧＳＭ方式又は進化型ユニバーサル地上無線アクセスＥ−ＵＴＲＡ方式を含み、
前記シーケンス確定ユニットが、
前記ターゲットセルが前記周波数分割複信方式を用いる場合、測定用途が周波数分割複信測定である転送間隔様式シーケンスを選択する第１シーケンス確定ユニットと、
前記ターゲットセルが前記時分割複信方式を用いる場合、測定用途が時分割複信測定である転送間隔様式シーケンスを選択する第２シーケンス確定ユニットと、
前記ターゲットセルが前記ＧＳＭ方式を用いる場合、ＧＳＭ搬送波受信信号強度指示測定、ＧＳＭ基地局カラーコード認証初期認証、ＧＳＭ基地局カラーコード認証再確認の三つの測定用途に対応する転送間隔様式シーケンスを選択する第３シーケンス確定ユニットと、
前記ターゲットセルが前記Ｅ−ＵＴＲＡ方式を用いる場合、測定用途が時分割複信測定である転送間隔様式シーケンスを選択する第４シーケンス確定ユニットと、を含む請求項１０に記載の端末。
【請求項１２】
前記起動ブロックが、
確定した転送間隔様式シーケンスをノードＢに通知する通知ユニットと、
前記転送間隔様式シーケンスに従って測定ターゲットセル用の転送間隔を生成する起動ユニットと、を含む請求項９に記載の端末。
【請求項１３】
無線ネットワークコントローラと、ノードＢと、端末とを備える通信システムであって、
前記無線ネットワークコントローラは前記端末に測定ターゲットセルの情報を送信し、
前記端末は、
無線ネットワークコントローラからの測定ターゲットセルの情報を受信する受信ブロックと、
前記測定ターゲットセルの情報に基づいて転送間隔様式シーケンスを確定するシーケンス確定ブロックと、
確定した転送間隔様式シーケンスに基づいて圧縮モードを起動してターゲットセルを測定する起動ブロックと、を備える通信システム。
【請求項１４】
前記端末が、さらに、測定用途情報、前記測定用途に対応する転送間隔様式シーケンスマーク情報、前記測定用途に対応する転送間隔情報を含む転送間隔様式シーケンス情報を記憶する情報記憶ブロックを含み、
前記シーケンス確定ブロックは、前記測定ターゲットセルの情報及び前記転送間隔様式シーケンス情報に基づいて転送間隔様式シーケンスを確定するシーケンス確定ユニットを含む請求項１３に記載の通信システム。
【請求項１５】
前記端末と、前記ノードＢと、前記無線ネットワークコントローラは、前記転送間隔様式シーケンス情報を予め約定し、前記情報記憶ブロックは約定した前記転送間隔様式シーケンス情報を記憶し、
又は、前記無線ネットワークコントローラは前記端末と前記ノードＢに予め前記転送間隔様式シーケンス情報を配置し、前記情報記憶ブロックは配置された前記転送間隔様式シーケンス情報を記憶する請求項１４に記載の通信システム。
【発明の詳細な説明】
【技術分野】
【０００１】
本発明は、無線通信分野に関し、具体的には、圧縮モードの起動方法、端末及び通信システムに関する。
【背景技術】
【０００２】
通信無線ネットワーク技術の第２世代のＧＳＭ（Global  System  Mobile：全地球移動通信システム）から第３世代のＷＣＤＭＡ（Wideband  Code  Division  Multiple  Access：広帯域符号分割多元接続）システム、更に第３世代のＥ−ＵＴＲＡ（Enhanced  Universal  Radio  Access：進化型ユニバーサル地上無線アクセスネットワーク）システムまで進化するに伴って、事業者のネットワーク配置も必ずユーザの需要に応じて、様々な方式のシステムが共存している。現在、事業者の通常の無線ネットワーク機能は、第２世代のＧＳＭシステムは主に音声のベアラに用いられ、第３世代のＷＣＤＭＡシステムは主にＰＳドメインサービス、セッション類、ビデオ類サービスに用いられ、第３世代のＥ−ＵＴＲＡＮシステムは主に超高速のＰＳドメインサービスのベアラに用いられると定義された。
【０００３】
従って、既存のネットワーク配置に対し、第２世代のＧＳＭシステムと第３世代のＷＣＤＭＡシステムのシステム間の移動性はかなり重要なものであって、将来、第３世代のＥ−ＵＴＲＡシステムの移動管理、例えば、Ｅ−ＵＴＲＡシステムのホットスポット領域へのハンドオーバーなども重要になっていく。
【０００４】
上記システム間の移動管理によるハンドオーバーの場合、いずれも、ハンドオーバー策略を正確に決めるためにターゲットシステム及びターゲット搬送波周波数を測定するハンドオーバー準備段階を予め行う必要がある。
【０００５】
圧縮モードは、搬送波周波数間とシステム間の測定に重要な作用を果たしている。圧縮モードである場合、端末は双受信機を配置しなくても非サービングの搬送波周波数及び他のシステムの搬送波周波数を測定することができる。受信機を一つ配置した端末の場合、第３世代ＷＣＤＭＡシステムから第２世代ＧＳＭシステムのみによってカバーされた領域に移動する場合、圧縮モードでシステム間の測定を行うしかできない。同じく、圧縮モードは端末が第３世代ＷＣＤＭＡシステムのマルチ搬送波周波数カバー領域への出入りにも用いられる。端末は、圧縮モードにおいて、サービング搬送波周波数で伝送する全てのデータを失わずに、非サービング搬送波周波数を測定することができる。
【０００６】
圧縮モードは伝送モードと定義され、該方式によってデータ伝送は時間領域にて圧縮されて一つの転送間隔が発生される。端末の受信機は該転送間隔において他の搬送波周波数にチューニングして測定する。
【０００７】
転送間隔を「転送間隔様式シーケンス」によって表す。各「転送間隔様式シーケンス」は「転送間隔様式シーケンスマーク」によって唯一に識別され、ただ一つの「転送間隔様式シーケンス測定用途」、つまり「周波数分割複信測定」/「時分割複信測定」/「ＧＳＭ搬送波受信信号強度指示（Received  Signal  Strength  Indication）測定」/「ＧＳＭ基地局カラーコード認証初期認証」/「ＧＳＭ基地局カラーコード認証再確認」/「マルチ搬送波周波数測定」/「Ｅ−ＵＴＲＡ測定」などの各測定の中の一つの測定用途に用いられる。
【０００８】
各「転送間隔様式シーケンス」は、図１に示すように、交互する２種類の様式、即ち「転送間隔様式１」と「転送間隔様式２」を含む。各「転送間隔様式」は一つの「転送間隔様式長さ」内において一つ又は二つの転送間隔を提供する。そして、各「転送間隔様式シーケンス」は、さらに、圧縮モードの起動/停止時間を指示する転送間隔ＣＦＮ（接続フレーム番号：Connection  Frame  Number）、転送間隔様式シーケンスの重複回数などを含む。このようなパラメータはいずれも「転送間隔様式シーケンス測定用途」に応じて確定される。
【０００９】
ハンドオーバーの加速化及びハンドオーバーの信頼性の増加を考慮し、特に、無線信号品質が高速に劣化している領域において、搬送波周波数間とシステム間の測定を速やかに完成しなければならず、つまり、圧縮モードの起動時間は遅ければ遅いほど良く、圧縮モードの持続時間は短ければ短いほど良く、これによってシステム容量及びユーザのスループットを向上する。従って、端末によってノードＢとの間の圧縮モードを制御する。端末が、現在のサービングセルの無線信号品質が不良で搬送波周波数間とシステム間の測定を行って搬送波周波数間/システム間の隣接セルへハンドオーバーするための準備をする必要があると判定すると、端末は圧縮モードを起動しノードＢに報知する。
【００１０】
しかし、端末は上記制御方法によって、次のことを処理することができない。
１）大量の端末が一つのセルに出現した場合、該セルの利用可能のリソースが全ての端末の全てのサービスのサービング品質を満足させることができないため、輻輳又はオーバーロードが発生してしまう。輻輳又はオーバーロードセルに対応できる低コストの方法は、サービスを負荷が低い隣接セルに分散することで、つまり負荷分散メカニズムである。負荷分散メカニズムによると、端末を輻輳又はオーバーロードセルから負荷が低い隣接セルにハンドオーバーする方式で、サービスを負荷が低い隣接セルに分散する目的を実現する。
【００１１】
２）事業者がマルチ無線システムのネットワーク配置を行う場合、異なるシステム又は異なる周波数にサービスを配置する傾向を示していて、例えば、第２世代のＧＳＭシステムが音声サービスを吸収し、第３世代のＷＣＤＭＡシステムがＰＳドメインサービスを吸収する。この場合、端末が非所望のシステム又は周波数層から無線システムにアクセス（アクセスセル）した後、これらのサービスはベアラ特性に応じて所望のシステム又は周波数層に置かれていないと、ベアラ特性に応じてこれらのサービスを適切な無線システムにて運び（アクセスセルの隣接セル）運行しなければならず、これがサービスベアラ特性メカニズムである。サービスベアラ特性メカニズムによって、異なるサービスを適切なベアラ特性の無線システムにて運ぶことができる。例えば、音声サービスを第２世代のＧＳＭシステム（アクセスセルの隣接セル）にて運び運行し、ＰＳドメインサービスを第３世代のＷＣＤＭＡシステム（アクセスセルの隣接セル）にて運び運行することができる。
【００１２】
上記負荷分散メカニズム及びサービスベアラ特性メカニズムを行う際に圧縮モードを起動してこれらの隣接セル（つまり測定ターゲットセル）の搬送波周波数間とシステム間の測定を行って、搬送波周波数間/システム間の隣接セルにハンドオーバーする準備をしなければならない。この場合、端末が現在のサービングセルにて測定した無線信号の品質は通常良好である。これは、負荷分散メカニズム又はサービスベアラ特性メカニズムは、現在のサービングセルに輻輳又はオーバーロードが発生し、ただ現在のサービングセルの負荷が高すぎで他のセルに分散して負荷を分担させる、又はサービスベアラの最適化調整を行うためのもので、端末が受信した無線信号には問題がなく、品質は良好である。
【００１３】
上記負荷分散メカニズム及びサービスベアラ特性メカニズムの場合、圧縮モードの起動時間は遅ければ遅いほど良く、圧縮モードの持続時間は短ければ短いほど良く、現在のサービングセルの負荷を速やかに低減し、現在のサービングセルの崩壊を防止し、現在のサービングセルにおける全ての端末の全てのサービスに影響を与えず、また、サービスの適切なベアラ対象を整合し、低いサービス品質及びサービス体験を避けることができる。
【００１４】
上記負荷分散メカニズム又はサービスベアラ特性メカニズムの場合、端末は現在のサービングセル及び隣接セル（該隣接セルが測定ターゲットセルである）の負荷/ベアラ状況を取得できず、サービスベアラの最適化調整戦略を把握することもできず、現在のアクセスセル及びアクセスセルの隣接セル（該隣接セルが測定ターゲットセルである）のサービスベアラ傾向を知らないので、端末は圧縮モードの起動を制御することができず、端末のサービス品質及びシステムの性能に影響を与えてしまう。
【発明の概要】
【発明が解決しようとする課題】
【００１５】
本発明は、上記負荷分散メカニズム又はサービスベアラ特性メカニズムの場合に圧縮モードを起動できない問題を解決できる圧縮モードの起動方法、端末及びシステムを提供することを目的とする。
【課題を解決するための手段】
【００１６】
本発明の一態様によると、端末が、無線ネットワークコントローラからの測定ターゲットセルの情報を受信し、該端末が、測定ターゲットセルの情報に基づいて転送間隔様式シーケンスを確定し、該端末が確定した転送間隔様式シーケンスに従って圧縮モードを起動してターゲットセルを測定するステップを含む圧縮モードの起動方法を提供する。
【００１７】
その中、端末が無線ネットワークコントローラからの測定ターゲットセルの情報を受信する前、端末が、測定用途情報と、測定用途に対応する転送間隔様式シーケンスマーク情報と、測定用途に対応する転送間隔情報を含む転送間隔様式シーケンス情報を記憶するステップを更に含み、端末が測定ターゲットセルの情報に基づいて転送間隔様式シーケンスを確定するステップが、端末が測定ターゲットセルの情報と転送間隔様式シーケンス情報に基づいて転送間隔様式シーケンスを確定することを含む。
【００１８】
その中、端末が、端末と、ノードＢと、無線ネットワークコントローラが転送間隔様式シーケンス情報を予め約定し、端末が約定した転送間隔様式シーケンス情報を記憶する方式と、無線ネットワークコントローラが端末とノードＢに転送間隔様式シーケンス情報を配置し、端末が配置された転送間隔様式シーケンス情報を記憶する方式の中の一つによって転送間隔様式シーケンス情報を記憶する。
【００１９】
その中、測定ターゲットセルの情報が、セルマークと、セルが用いる方式種別指示と、セルの周波数とを含み、セルが用いる方式は、周波数分割複信方式、時分割複信方式、全地球移動通信システムＧＳＭ方式または進化型ユニバーサル地上無線アクセスＥ−ＵＴＲＡ方式を含み、端末が転送間隔様式シーケンスを確定するステップが、ターゲットセルが周波数分割複信方式を用いる場合、端末が測定用途が周波数分割複信測定である転送間隔様式シーケンスを選択し、ターゲットセルが時分割複信方式を用いる場合、端末が測定用途が時分割複信測定である転送間隔様式シーケンスを選択し、ターゲットセルがＧＳＭ方式を用いる場合、端末がＧＳＭ搬送波受信信号強度指示測定、ＧＳＭ基地局カラーコード認証初期認証、ＧＳＭ基地局カラーコード認証再確認の三つの測定用途に対応する転送間隔様式シーケンスを選択し、ターゲットセルがＥ−ＵＴＲＡ方式を用いる場合、端末が測定用途が時分割複信測定である転送間隔様式シーケンスを選択する。
【００２０】
その中、測定ターゲットセルは、負荷分散メカニズムにおいて、無線ネットワークコントローラが選択した負荷を分散するための現在サービングセルの搬送波周波数間及び/又はシステム間の隣接セルと、サービスベアラ特性メカニズムにおいて、無線ネットワークコントローラが選択した端末のサービスを運ぶためのアクセスセルの搬送波周波数間及び/又はシステム間の隣接セルとの中の少なくとも一つを含む。
【００２１】
その中、端末が、確定した転送間隔様式シーケンスに基づいて圧縮モードを起動するステップは、端末が確定した転送間隔様式シーケンスをノードＢに通知し、端末とノードＢが転送間隔様式シーケンスに従って測定ターゲットセル用の転送間隔を生成することを含む。
【００２２】
その中、端末が無線ネットワークコントローラからの測定ターゲットセルの情報を受信する前、無線ネットワークコントローラが無線リソース制御ＲＲＣプロトコル層の制御シグナルを介して測定ターゲットセルの情報を端末に送信するステップを更に含み、端末が確定した転送間隔様式シーケンスをノードＢに通知するステップが、端末が高速専用物理制御チャネルＨＳ−ＤＰＣＣＨを介して確定した転送間隔様式シーケンスをノードＢに通知するステップを含む。
【００２３】
その中、端末が無線ネットワークコントローラからの測定ターゲットセルの情報を受信した後、端末が現在既に起動した転送間隔様式シーケンスを停止し、ノードＢに現在既に起動した転送間隔様式シーケンスを停止したことを通知するステップを更に含む。
【００２４】
本発明の他の一態様によると、無線ネットワークコントローラからの測定ターゲットセルの情報を受信する受信ブロックと、測定ターゲットセルの情報に基づいて転送間隔様式シーケンスを確定するシーケンス確定ブロックと、確定した転送間隔様式シーケンスに基づいて圧縮モードを起動し、ターゲットセルを測定する起動ブロックと、を含む端末を提供する。
【００２５】
その中、該端末が、更に、測定用途情報と、測定用途に対応する転送間隔様式シーケンスマーク情報と、測定用途に対応する転送間隔情報とを含む転送間隔様式シーケンス情報を記憶する情報記憶ブロックを含み、シーケンス確定ブロックは、測定ターゲットセルの情報及び転送間隔様式シーケンス情報に基づいて転送間隔様式シーケンスを確定するシーケンス確定ユニットを含む。
【００２６】
その中、受信ブロックが受信する測定ターゲットセルの情報は、セルマークと、セルが用いる方式種別指示と、セルの周波数とを含み、セルが用いる方式は、周波数分割複信方式、時分割複信方式、全地球移動通信システムＧＳＭ方式又は進化型ユニバーサル地上無線アクセスＥ−ＵＴＲＡ方式を含み、シーケンス確定ユニットは、ターゲットセルが周波数分割複信方式を用いる場合、測定用途が周波数分割複信測定である転送間隔様式シーケンスを選択する第１シーケンス確定ユニットと、ターゲットセルが時分割複信方式を用いる場合、測定用途が時分割複信測定である転送間隔様式シーケンスを選択する第２シーケンス確定ユニットと、ターゲットセルがＧＳＭ方式を用いる場合、ＧＳＭ搬送波受信信号強度指示測定、ＧＳＭ基地局カラーコード認証初期認証、ＧＳＭ基地局カラーコード認証再確認の三つの測定用途に対応する転送間隔様式シーケンスを選択する第３シーケンス確定ユニットと、ターゲットセルがＥ−ＵＴＲＡ方式を用いる場合、測定用途が時分割複信測定である転送間隔様式シーケンスを選択する第４シーケンス確定ユニットと、を含む。
【００２７】
その中、起動ブロックは、確定した転送間隔様式シーケンスをノードＢに通知する通知ユニットと、転送間隔様式シーケンスに従って測定ターゲットセル用の転送間隔を生成する起動ユニットと、を含む。
【００２８】
本発明の他の一態様によると、無線ネットワークコントローラと、ノードＢと、端末とを備える通信システムを提供し、その中、無線ネットワークコントローラは端末に測定ターゲットセルの情報を送信し、該端末は、無線ネットワークコントローラからの測定ターゲットセルの情報を受信する受信ブロックと、測定ターゲットセルの情報に基づいて転送間隔様式シーケンスを確定するシーケンス確定ブロックと、確定した転送間隔様式シーケンスに基づいて圧縮モードを起動してターゲットセルを測定する起動ブロックと、を備える。
【００２９】
その中、該端末は、さらに、転送間隔様式シーケンス情報を記憶する情報記憶ブロックを含み、転送間隔様式シーケンス情報は、測定用途情報と、測定用途に対応する転送間隔様式シーケンスマーク情報と、測定用途に対応する転送間隔情報を含み、シーケンス確定ブロックは、測定ターゲットセルの情報及び転送間隔様式シーケンス情報に基づいて転送間隔様式シーケンスを確定するシーケンス確定ユニットを含む。
【００３０】
その中、端末と、ノードＢと、無線ネットワークコントローラは、転送間隔様式シーケンス情報を予め約定し、情報記憶ブロックは約定した転送間隔様式シーケンス情報を記憶し、又は、無線ネットワークコントローラは端末とノードＢに予め転送間隔様式シーケンス情報を配置し、情報記憶ブロックは配置された転送間隔様式シーケンス情報を記憶する。
【発明の効果】
【００３１】
本発明によると、測定ターゲットセルの情報に基づいて転送間隔様式シーケンスを確定し、確定した転送間隔様式シーケンスに基づいて圧縮モードを起動することによって、負荷分散メカニズム又はサービスベアラ特性メカニズムの場合に圧縮モードを起動できない問題を解決し、端末のサービス品質及びシステムの性能を向上できる。
【図面の簡単な説明】
【００３２】
ここで説明する図面は本発明を理解するためのものであり、本発明の一部を構成し、本発明における実施例と共に本発明を解釈し、本発明を不当に限定するものではない。
【図１】関連技術に係わる転送間隔様式シーケンスを示す図である。
【図２】本発明の実施例１に係わる圧縮モードの起動方法を示すフローチャートである。
【図３】本発明の実施例２に係わる圧縮モードの起動方法を示すフローチャートである。
【図４】本発明の実施例３に係わる圧縮モードの起動方法を示すフローチャートである。
【図５】本発明の実施例４に係わる圧縮モードの起動方法を示すフローチャートである。
【図６】本発明の実施例５に係わる圧縮モードの起動方法を示すフローチャートである。
【図７】本発明の実施例６に係わる端末の構造を示すブロック図である。
【図８】本発明の実施例６に係わる端末の具体的な構造を示すブロック図である。
【図９】本発明の実施例７に係わる通信システムの構造を示すブロック図である。
【発明を実施するための形態】
【００３３】
以下、図面を参照しつつ実施例に結合して本発明を詳しく説明する。ここで、互いに矛盾しない限り、本願に記載の実施例及び実施例に記載の特徴を互いに組み合わせることができる。
【００３４】
本発明の実施例における通信システムは、無線ネットワークコントローラと、ノードＢと、端末と、を備え、各機器間は無線接続され、関連する無線通信標準に準じている。以下の実施例はいずれも該通信システムでの実現を例に説明する。
【００３５】
＜実施例１＞
図２は、本発明の実施例に係わる圧縮モードの起動方法を示すフローチャートで、次のステップを含む。
端末は、無線ネットワークコントローラからの測定ターゲットセルの情報を受信する（ステップＳ２０２）。
【００３６】
本実施例において、無線ネットワークコントローラにより提供される測定ターゲットセルが一つであることができれば、複数であることもでき、例えば、負荷分散メカニズムにおいて無線ネットワークコントローラが選択した負荷を分担するための現在のサービングセルの搬送波周波数間及び/又はシステム間の隣接セルであることができ、サービスベアラ特性メカニズムにおいて無線ネットワークコントローラが選択した端末のサービスを運ぶためのアクセスセルの搬送波周波数間及び/又はシステム間の隣接セルであることもできる。
【００３７】
該端末は、測定ターゲットセルの情報に基づいて、転送間隔様式シーケンスを確定する（ステップＳ２０４）。
【００３８】
ステップＳ２０２の前、該端末が、転送間隔様式シーケンス情報を記憶するステップを更に含むことが好ましく、その中、該転送間隔様式シーケンス情報は、測定用途情報と、測定用途に対応する転送間隔様式シーケンスマーク情報と、測定用途に対応する転送間隔情報を含む。例えば、圧縮モードを起動する「転送間隔様式シーケンス」情報は、具体的には、１セット又は複数セットの「転送間隔様式シーケンス」を含む。各セットの「転送間隔様式シーケンス」情報は、少なくとも、「転送間隔様式シーケンスマーク」情報と、「転送間隔様式シーケンス測定用途」情報と、「転送間隔様式１」及び/又は「転送間隔様式２」情報と、各「転送間隔様式」が一つの「転送間隔様式長さ」内で提供する転送間隔の情報などを含む。
【００３９】
該端末は、上記測定ターゲットセルの情報及び転送間隔様式シーケンス情報に基づいて、転送間隔様式シーケンスを確定することができる。
【００４０】
端末は、１）端末と、ノードＢと、無線ネットワークコントローラが予め上記転送間隔様式シーケンス情報を約定し、端末が約定した転送間隔様式シーケンス情報を記憶する方式と、２）無線ネットワークコントローラが端末とノードＢに上記転送間隔様式シーケンス情報を配置し、端末が配置された転送間隔様式シーケンス情報を記憶する方式の中の一つによって上記転送間隔様式シーケンス情報を記憶することができる。例えば、システムが第２方式をとる場合、無線ネットワークコントローラはＲＲＣ（Radio  Resource  Control：無線リソース制御）プロトコル層の制御シグナルを介して端末に圧縮モードを起動する「転送間隔様式シーケンス」情報を配置すると共に、無線ネットワークコントローラがＮＢＡＰ（Node  B  Application  Part：ノードＢアプリケーション部分）プロトコル層の制御シグナルを介してノードＢに圧縮モードを起動する「転送間隔様式シーケンス」情報を配置する。
【００４１】
その中、ＲＲＣプロトコル層は、無線ネットワークコントローラと端末との間の制御シグナルを提供するためのもので、ＮＢＡＰプロトコル層は無線ネットワークコントローラとノードＢとの間の制御シグナルを提供するためのものである。
【００４２】
該端末は、確定した転送間隔様式シーケンスに基づいて圧縮モードを起動し、ターゲットセルを測定する（ステップＳ２０６）。
【００４３】
該端末が圧縮モードを起動するステップは、確定した転送間隔様式シーケンスをノードＢに通知し、端末とノードＢが確定した転送間隔様式シーケンスに基づいて、測定ターゲットセル用の転送間隔を生成するステップを含む。
【００４４】
転送間隔において、端末は測定ターゲットセルの周波数にて測定ターゲットセルを測定する。当該周波数は無線信号の送信周波数を示し、つまりあるセルにおいて端末がノードＢに送信するアップリンク無線信号周波数、及びノードＢが端末に送信するダウンリンク無線信号周波数である。例えば、ＧＳＭ９００の動作周波数範囲は８９０〜９６０ＭＨｚで、ＧＳＭ１８００の動作周波数範囲は１７１０〜１８８０ＭＨｚである。
【００４５】
本発明の実施例における測定ターゲットセルの情報は、セルマークと、セルが用いる方式種別指示と、セルの周波数を含み、その中、セルが用いる方式は、周波数分割複信方式、時分割複信方式、ＧＳＭ方式、Ｅ−ＵＴＲＡ方式であって、端末はターゲットセルが用いる方式に基づいて転送間隔様式シーケンスを確定する。
【００４６】
本発明の実施例において、上記「転送間隔様式シーケンスマーク」を三つのビットによって符号化し、その値は０〜７の合計８個の値である。その中、値が０である「転送間隔様式シーケンスマーク」を予め保留して「現在既に起動した全ての転送間隔様式シーケンス」を示すと約定し、端末が転送間隔様式シーケンスの操作を停止した時のみに利用し、その他の１〜７の７個の値は「転送間隔様式シーケンスマーク」に用いられ、各セット「転送間隔様式シーケンス」を「転送間隔様式シーケンスマーク」によって唯一認証する。転送間隔様式シーケンスの「起動」又は「停止」の動作は１ビットで符号化して指示する。該ビットの値が「１」であると「起動」を示し、該ビット値が「０」であると「停止」を示す。
【００４７】
本発明の実施例において、ＨＳ−ＤＰＣＣＨ（High  Speed  Dedicated  Physical  Control  Channel：高速専用物理制御チャネル）によって確定した転送間隔様式シーケンスをノードＢに通知する。その中、ＨＳ−ＤＰＣＣＨ物理チャネルはアップリンク方向の制御チャネルで、ダウンリンクデータの受信状況に対する「肯定」/ダウンリンクデータ受信「否定」のフィードバック情報を運び、またダウンリンクデータ受信品質の品質フィードバック情報を運ぶ。ＨＳ−ＤＰＣＣＨ物理チャネルにおいて、ダウンリンクデータの受信情况に対する「肯定」/「否定」情報を運ぶ領域は「肯定」領域と呼ばれる。
【００４８】
上記「肯定」領域は１０ビットからなり、本実施例において、ＨＳ−ＤＰＣＣＨにおける１０ビットの「肯定」領域の中の未使用コード部分を使用する。「肯定」領域の一番目のビットが「１」で、二番目のビットが「０」である時、残りの８ビット、即ち全０〜全１の全てのコード値はいずれも関連技術にて利用されていない。以下のＨＳ−ＤＰＣＣＨに係わる実施例において、「肯定」領域の一番目のビットが「１」で、二番目のビットが「０」である時、「肯定」領域の三番目/四番目/五番目のビットによって「転送間隔様式シーケンスマーク」を示し、その中、値が０である「転送間隔様式シーケンスマーク」は「現在既に起動した全ての転送間隔様式シーケンス」示すものとして保留すると約定し、端末又はノードＢが転送間隔様式シーケンスを停止する操作を行う場合のみに使用し、その他の値が１〜７である合計７個の値は「転送間隔様式シーケンスマーク」に用いられ、各セットの「転送間隔様式シーケンス」を「転送間隔様式シーケンスマーク」によって唯一に認証し、「肯定」領域の六番目のビットで転送間隔様式シーケンスの「起動」又は「停止」の動作を示し、例えば、該ビット値が「１」であると「起動」を示し、該ビット値が「０」であると「停止」を示す。
【００４９】
本実施例の端末は、無線ネットワークコントローラが報知した測定ターゲットセルの情報を受信し、測定ターゲットセルの情報に基づいて適切な転送間隔様式シーケンスを確定して、圧縮モードを起動し、負荷分散メカニズム及びサービスベアラ特性メカニズムの場合に圧縮モードを起動できない問題を解決し、端末のサービス品質及びシステムの性能を向上する。
【００５０】
＜実施例２＞
本実施例によると、圧縮モードの起動方法を提供し、該方法を高速ダウンリンクパケットアクセスシステムでの実現を例に説明し、具体的には、端末がＷＣＤＭＡ「周波数分割複信」方式のアクセスセル１においてアクセスしてサービスを使用する。サービスベアラ特性メカニズムによって、無線ネットワークコントローラによって選択された該端末のサービス搬送用に最も適合な無線システムにおけるアクセスセルのシステム間隣接セルはセル２である。セル２は「Ｅ−ＵＴＲＡ」方式セルに属し、アップリンク周波数は１９２０ＭＨｚで、ダウンリンク周波数は２１１０ＭＨｚである。端末には現在、既に起動した転送間隔様式シーケンスがない。図３を参照すると、圧縮モードの起動方法は以下のステップを含む。
【００５１】
無線ネットワークコントローラは、ＲＲＣプロトコル層の制御シグナルを介して端末に圧縮モードを起動する「転送間隔様式シーケンス」情報を配置する（ステップＳ３０２）。
【００５２】
本実施例における圧縮モードを起動する「転送間隔様式シーケンス」情報は、具体的には、
「周波数分割複信測定」の測定用途に用いられ、「転送間隔様式シーケンスマーク」が１である第１セットの「転送間隔様式シーケンス」と、その中、該セットの「転送間隔様式シーケンス」は交互する２種類の様式、即ち「転送間隔様式１」と「転送間隔様式２」を含み、各「転送間隔様式」は一つの「転送間隔様式長さ」内において一つの転送間隔を提供し、
「時分割複信測定」の測定用途に用いられ、「転送間隔様式シーケンスマーク」が２である第２セットの「転送間隔様式シーケンス」と、その中、該セットの「転送間隔様式シーケンス」は交互する１種類の様式、即ち「転送間隔様式１」を含み、「転送間隔様式１」は一つの「転送間隔様式長さ」内において２つの転送間隔を提供し、
「ＧＳＭ搬送波受信信号強度指示（Received  Signal  Strength  Indication）測定」の測定用途に用いられ、「転送間隔様式シーケンスマーク」が３である第３セット「転送間隔様式シーケンス」と、その中、該セットの「転送間隔様式シーケンス」は交互する２種類の様式、即ち、「転送間隔様式１」と「転送間隔様式２」を含み、各「転送間隔様式」は一つの「転送間隔様式長さ」内において２つの転送間隔を提供し、
「ＧＳＭ基地局カラーコード認証初期認証」の測定用途に用いられ、「転送間隔様式シーケンスマーク」が４である第４セットの「転送間隔様式シーケンス」と、その中、該セットの「転送間隔様式シーケンス」は交互する２種類の様式、即ち「転送間隔様式１」と「転送間隔様式２」を含み、各「転送間隔様式」は一つの「転送間隔様式長さ」内において２つの転送間隔を提供し、
「ＧＳＭ基地局カラーコード認証再確認」の測定用途に用いられ、「転送間隔様式シーケンスマーク」が５である第５セットの「転送間隔様式シーケンス」と、その中、該セットの「転送間隔様式シーケンス」は交互する２種類の様式、即ち「転送間隔様式１」と「転送間隔様式２」を含み、各「転送間隔様式」は一つの「転送間隔様式長さ」内において２つの転送間隔を提供し、
「Ｅ−ＵＴＲＡ測定」の測定用途に用いられ、「転送間隔様式シーケンスマーク」が６である第６セットの「転送間隔様式シーケンス」と、を含み、その中、該セットの「転送間隔様式シーケンス」は交互する１種類の様式、即ち「転送間隔様式１」を含み、「転送間隔様式１」は一つの「転送間隔様式長さ」内において２つの転送間隔を提供する。
【００５３】
無線ネットワークコントローラは、ＮＢＡＰプロトコル層の制御シグナルを介してノードＢに圧縮モードを起動する「転送間隔様式シーケンス」情報を配置する（ステップＳ３０４）。圧縮モードを起動する「転送間隔様式シーケンス」情報はステップＳ３０２における情報に一致するので、説明を省略する。
【００５４】
無線ネットワークコントローラは、ＲＲＣプロトコル層の制御シグナルを介して端末に測定ターゲットセルの情報を報知する（ステップＳ３０６）。本実施例における測定ターゲットセルはただ一つで、セルマークはセル２であって、「Ｅ−ＵＴＲＡ」方式のセルで、アップリンク周波数は１９２０ＭＨｚで、ダウンリンク周波数は２１１０ＭＨｚである。
【００５５】
端末は当該情報を受信し、端末は測定ターゲットセルの情報に基づいて適切な転送間隔様式シーケンスを選択する（ステップＳ３０８）。具体的には、測定ターゲットセルのセル２が「Ｅ−ＵＴＲＡ」方式であると、「転送間隔様式シーケンス測定用途」が「Ｅ−ＵＴＲＡ測定」である第６セットの「転送間隔様式シーケンス」を選択し、「転送間隔様式シーケンスマーク」は６である。
【００５６】
端末は、「転送間隔様式シーケンスマーク」が６である転送間隔様式シーケンスを起動し、ノードＢに報知する（ステップＳ３１０）。
【００５７】
端末はＨＳ−ＤＰＣＣＨ物理チャネルを介して「転送間隔様式シーケンスマークが６である転送間隔様式シーケンスを起動する」情報をノードＢに送信する。その中、ＨＳ−ＤＰＣＣＨ物理チャネルの「肯定」領域の一番目のビットが「１」で、二番目のビットが「０」である。ＨＳ−ＤＰＣＣＨ物理チャネルの「肯定」領域の三番目/四番目/五番目のビットの値は６で、「転送間隔様式シーケンスマーク」が６であることを示し、ＨＳ−ＤＰＣＣＨ物理チャネルの「肯定」領域の六番目のビットの値は１で、転送間隔様式シーケンスを「起動」する動作を示す。
【００５８】
端末とノードＢとの間は依然として転送間隔様式シーケンスマークが６である転送間隔様式シーケンスに従って転送間隔を生成する（ステップＳ３１２）。転送間隔において、端末はアップリンク周波数が１９２０ＭＨｚ/ダウンリンク周波数が２１１０ＭＨｚである周波数にてセル２を測定する。
【００５９】
端末は測定を完成した後、起動された転送間隔様式シーケンスは自動的に停止し、又は、端末がセルハンドオーバーを行った後、起動された転送間隔様式シーケンスは自動的に停止する。
【００６０】
本実施例の端末は、無線ネットワークコントローラが報知した測定ターゲットセル２の情報を受信した後、測定ターゲットセル２の情報に基づいて、第６セットの「転送間隔様式シーケンス」を確定し、第６セットの「転送間隔様式シーケンス」を起動してセル２に測定を行う。負荷分散メカニズム及びサービスベアラ特性メカニズムの場合に圧縮モードを起動できない問題を解決し、端末のサービス品質及びシステムの性能を向上する。
【００６１】
＜実施例３＞
本実施例によると、圧縮モードの起動方法を提供し、該方法を、高速ダウンリンクパケットアクセスシステムでの実現を例として説明する。具体的には、端末がＷＣＤＭＡ「周波数分割複信」方式のアクセスセル１においてアクセスしてサービスを使用する。サービスベアラ特性メカニズムによって、無線ネットワークコントローラによって選択された該端末のサービスの搬送用として最も適切な無線システムにおけるアクセスセルのシステム間隣接セルはセル３である。セル３は「ＧＳＭ」方式のセルに属し、アップリンク周波数は９０９ＭＨｚで、ダウンリンク周波数は９５４ＭＨｚである。図４に示すように、圧縮モードの起動方法は以下のステップを含む。
【００６２】
端末と、ノードＢと、無線ネットワークコントローラは圧縮モードを起動する「転送間隔様式シーケンス」情報を予め約定する（ステップＳ４０２）。
本実施例の圧縮モードを起動する「転送間隔様式シーケンス」情報は、実施例２における情報と同じであるので、説明を省略する。
【００６３】
無線ネットワークコントローラは、ＲＲＣプロトコル層の制御シグナルを介して端末に測定ターゲットセルの情報を報知する（ステップＳ４０４）。測定ターゲットセルはただ一つであって、セルマークはセル３であって、「ＧＳＭ」方式のセルで、アップリンク周波数は９０９ＭＨｚで、ダウンリンク周波数は９５４ＭＨｚである。
【００６４】
端末は該情報を受信し、端末は測定ターゲットセルの情報に基づいて適切な転送間隔様式シーケンスを選択する（ステップＳ４０６）。本実施例は、具体的には、測定ターゲットセルのセル３が「ＧＳＭ」方式に属すると、「転送間隔様式シーケンス測定用途」が「ＧＳＭ搬送波受信信号強度指示（Received  Signal  Strength  Indication）測定」で、「転送間隔様式シーケンス測定用途」が「ＧＳＭ基地局カラーコード認証初期認証」で、「転送間隔様式シーケンス測定用途」が「ＧＳＭ基地局カラーコード認証再確認」である３セットの「転送間隔様式シーケンス」を選択する。「転送間隔様式シーケンスマーク」はそれぞれ３/４/５である。
【００６５】
端末は「転送間隔様式シーケンスマーク」が３である転送間隔様式シーケンスを起動し、ノードＢに報知する（ステップＳ４０８）。
端末は、ＨＳ−ＤＰＣＣＨ物理チャネルを介して「転送間隔様式シーケンスマークが３である転送間隔様式シーケンスを起動する」情報をノードＢに送信する。
【００６６】
その中、ＨＳ−ＤＰＣＣＨ物理チャネルの「肯定」領域の一番目のビットが「１」で、二番目のビットが「０」である。ＨＳ−ＤＰＣＣＨ物理チャネルの「肯定」領域の三番目/四番目/五番目のビットの値は３で「転送間隔様式シーケンスマーク」が３であることを示す。ＨＳ−ＤＰＣＣＨ物理チャネルの「肯定」領域の六番目のビットの値は１で、転送間隔様式シーケンスを「起動」する動作を示す。
【００６７】
端末は「転送間隔様式シーケンスマーク」が４である転送間隔様式シーケンスを起動し、ノードＢに報知する（ステップＳ４１０）。
【００６８】
端末は、ＨＳ−ＤＰＣＣＨ物理チャネルを介して「転送間隔様式シーケンスマークが４である転送間隔様式シーケンスを起動する」情報をノードＢに送信する。その中、ＨＳ−ＤＰＣＣＨ物理チャネルの「肯定」領域の一番目のビットは「１」で、二番目のビットは「０」である。ＨＳ−ＤＰＣＣＨ物理チャネルの「肯定」領域の三番目/四番目/五番目のビットの値は４で、「転送間隔様式シーケンスマーク」が４であることを示し、ＨＳ−ＤＰＣＣＨ物理チャネルの「肯定」領域の六番目のビットの値は１で、転送間隔様式シーケンスを「起動」する動作を示す。
【００６９】
端末は「転送間隔様式シーケンスマーク」が５である転送間隔様式シーケンスを起動し、ノードＢに報知する（ステップＳ４１２）。端末はＨＳ−ＤＰＣＣＨ物理チャネルを介して「転送間隔様式シーケンスマークが５である転送間隔様式シーケンスを起動する」情報をノードＢに送信する。その中、ＨＳ−ＤＰＣＣＨ物理チャネルの「肯定」領域の一番目のビットは「１」で、二番目のビットは「０」である。ＨＳ−ＤＰＣＣＨ物理チャネルの「肯定」領域の三番目/四番目/五番目のビットの値は５で、「転送間隔様式シーケンスマーク」が５であることを示し、ＨＳ−ＤＰＣＣＨ物理チャネルの「肯定」領域の六番目のビットの値は１で、転送間隔様式シーケンスを「起動」する動作を示す。
【００７０】
端末とノードＢとの間は依然として転送間隔様式シーケンスマークが３/４/５である３セットの転送間隔様式シーケンスに従って転送間隔を生成する（ステップＳ４１４）。転送間隔において、端末はアップリンク周波数が９０９ＭＨｚ/ダウンリンク周波数が９５４ＭＨｚである周波数にてセル３に測定を行う。
【００７１】
本実施例の端末は、無線ネットワークコントローラが報知した測定ターゲットセル３の情報を受信した後、ターゲットセル３が「ＧＳＭ」方式に属し、確定した転送間隔様式シーケンスマークはそれぞれ３/４/５であるので、マーク３/４/５に対応する転送間隔様式シーケンスを起動してセル３を測定し、負荷分散メカニズム及びサービスベアラ特性メカニズムの場合に圧縮モードを起動できない問題を解決し、端末のサービス品質及びシステムの性能を向上する。
【００７２】
＜実施例４＞
本実施例によると、圧縮モードの起動方法を提供し、該方法を、高速ダウンリンクパケットアクセスシステムでの実現を例に説明する。具体的には、端末が現在のサービングセルのＷＣＤＭＡ「周波数分割複信」方式のセル１に位置し、セル１の負荷は高すぎる。負荷分散メカニズムによって、無線ネットワークコントローラはセル１との搬送波周波数間の隣接セルであるセル４/セル５/セル６を選択し、セル１の負荷を分散する。その中、セル４は「周波数分割複信」方式のセルに属し、アップリンク周波数は１７１０ＭＨｚで、ダウンリンク周波数は１８０５ＭＨｚであって、セル５は「周波数分割複信」方式のセルに属し、アップリンク周波数は１７４９.９ＭＨｚで、ダウンリンク周波数は１８４４.９ＭＨｚであって、セル６は「周波数分割複信」方式のセルに属し、アップリンク周波数は１７５５ＭＨｚで、ダウンリンク周波数は２１５５ＭＨｚである。端末は現在、既に、転送間隔様式シーケンスマークが３/４/５である３セットの転送間隔様式シーケンスを起動している。図５に示すように、圧縮モードの起動方法は以下のステップを含む。
【００７３】
無線ネットワークコントローラは、ＲＲＣプロトコル層の制御シグナルを介して端末に圧縮モードを起動する「転送間隔様式シーケンス」情報を配置する（ステップＳ５０２）。
【００７４】
本実施例の圧縮モードを起動する「転送間隔様式シーケンス」情報は実施例２における情報と同じであるので、説明を省略する。
無線ネットワークコントローラは、ＮＢＡＰプロトコル層の制御シグナルを介してノードＢに圧縮モードを起動する「転送間隔様式シーケンス」情報を配置する（ステップＳ５０４）。圧縮モードを起動する「転送間隔様式シーケンス」情報はステップＳ５０２における情報に一致するので、説明を省略する。
【００７５】
無線ネットワークコントローラは、ＲＲＣプロトコル層の制御シグナルを介して端末に測定ターゲットセルの情報を報知する（ステップＳ５０６）。測定ターゲットセルは三つあって、それぞれ、セルマークはセル４で、「周波数分割複信」方式のセルに属し、アップリンク周波数は１７１０ＭＨｚで、ダウンリンク周波数は１８０５ＭＨｚであるセルと、セルマークがセル５で、「周波数分割複信」方式のセルに属し、アップリンク周波数は１７４９.９ＭＨｚで、ダウンリンク周波数は１８４４.９ＭＨｚであるセルと、セルマークがセル６で、「周波数分割複信」方式のセルに属し、アップリンク周波数は１７５５ＭＨｚで、ダウンリンク周波数は２１５５ＭＨｚであるセルである。
【００７６】
端末は該情報を受信し、現在、既に起動した転送間隔様式シーケンスマークが３/４/５である３セットの転送間隔様式シーケンスが存在すると判定したので、端末は現在既に起動した全ての３セットの転送間隔様式シーケンスを停止し、ノードＢに報知する（ステップＳ５０８）。端末はＨＳ−ＤＰＣＣＨ物理チャネルを介して「現在既に起動した全ての転送間隔様式シーケンスを停止する」情報をノードＢに送信する。
【００７７】
その中、ＨＳ−ＤＰＣＣＨ物理チャネルの「肯定」領域の一番目のビットは「１」で、二番目のビットは「０」である。ＨＳ−ＤＰＣＣＨ物理チャネルの「肯定」領域の三番目/四番目/五番目のビットの値は０で、「現在既に起動した全ての転送間隔様式シーケンス」、つまり転送間隔様式シーケンスマークが３/４/５である３セットの転送間隔様式シーケンスを示す。ＨＳ−ＤＰＣＣＨ物理チャネルの「肯定」領域の六番目のビットの値は０で、転送間隔様式シーケンスを「停止」する動作を示す。
【００７８】
端末は、ノードＢとの間の転送間隔様式シーケンスマークが３/４/５である３セットの転送間隔様式シーケンスを停止する（ステップＳ５１０）。
【００７９】
端末は測定ターゲットセルの情報に基づいて適切な転送間隔様式シーケンスを選択する（ステップＳ５１２）。具体的には、測定ターゲットセルとしてのセル４/５/６の三つのセルがいずれも「周波数分割複信」方式に属すると、「転送間隔様式シーケンス測定用途」が「周波数分割複信測定」である第１セットの「転送間隔様式シーケンス」を選択し、「転送間隔様式シーケンスマーク」は１である。
【００８０】
端末は「転送間隔様式シーケンスマーク」が１である転送間隔様式シーケンスを起動し、ノードＢに報知する（ステップＳ５１４）。端末はＨＳ−ＤＰＣＣＨ物理チャネルを介して「転送間隔様式シーケンスマークが１である転送間隔様式シーケンスを起動する」情報をノードＢに送信する。
【００８１】
その中、ＨＳ−ＤＰＣＣＨ物理チャネルの「肯定」領域の一番目のビットは「１」で、二番目のビットは「０」である。ＨＳ−ＤＰＣＣＨ物理チャネルの「肯定」領域の三番目/四番目/五番目のビットの値は１で、「転送間隔様式シーケンスマーク」が１であることを示し、ＨＳ−ＤＰＣＣＨ物理チャネルの「肯定」領域の六番目のビットの値は１で、転送間隔様式シーケンスを「起動」する動作を示す。
【００８２】
端末とノードＢとの間は依然として転送間隔様式シーケンスマークが１である転送間隔様式シーケンスに従って転送間隔を生成する（ステップＳ５１６）。転送間隔において、端末はアップリンク周波数が１７１０ＭＨｚ/ダウンリンク周波数が１８０５ＭＨｚである周波数にてセル４を測定し、アップリンク周波数が１７４９.９ＭＨｚ/ダウンリンク周波数が１８４４.９ＭＨｚである周波数にてセル５を測定し、アップリンク周波数が１７５５ＭＨｚ/ダウンリンク周波数が２１５５ＭＨｚである周波数にてセル６を測定する。
【００８３】
本実施例の端末は無線ネットワークコントローラが報知した測定セル４/セル５/セル６の情報を受信した後、セル４/セル５/セル６がいずれも「周波数分割複信」方式に属し、確定した転送間隔様式シーケンスマークが１であるので、マーク１に対応する転送間隔様式シーケンスを起動してセル４/セル５/セル６に測定を行って、負荷分散メカニズム及びサービスベアラ特性メカニズムの場合に圧縮モードを起動できない問題を解決し、端末のサービス品質及びシステムの性能を向上する。
【００８４】
＜実施例５＞
本実施例によると、圧縮モードの起動方法を提供し、該方法を、高速ダウンリンクパケットアクセスシステムでの実現を例に説明する。具体的には、端末は現在サービングセルのＷＣＤＭＡ「周波数分割複信」方式のセル１に位置し、セル１の負荷は高すぎる。負荷分散メカニズムによって、無線ネットワークコントローラはセル１と異なる周波数の搬送波周波数間及びシステム間の隣接セルであるセル７/セル８を選択し、セル１の負荷を分散する。セル７は「周波数分割複信」方式のセルに属し、アップリンク周波数は１７１０ＭＨｚで、ダウンリンク周波数は１８０５ＭＨｚである。セル８は「時分割複信」方式のセルに属し、アップリンク及びダウンリンク周波数は２５７０ＭＨｚ（「時分割複信」方式で、アップリンク/ダウンリンクは同周波数に位置する）である。端末は、現在既に転送間隔様式シーケンスマークが６である転送間隔様式シーケンスを起動した。図６に示すように、圧縮モードの起動方法は以下のステップを含む。
【００８５】
端末と、ノードＢと、無線ネットワークコントローラは予め、圧縮モードを起動する「転送間隔様式シーケンス」情報を約定する（ステップＳ６０２）。
本実施例の圧縮モードを起動する「転送間隔様式シーケンス」情報は実施例２における情報と同じであるので、説明を省略する。
【００８６】
無線ネットワークコントローラはＲＲＣプロトコル層の制御シグナルを介して端末に測定ターゲットセルの情報を報知する（ステップＳ６０４）。その中、測定ターゲットセルは２つあって、それぞれ、セルマークがセル７で、「周波数分割複信」方式のセルに属し、アップリンク周波数は１７１０ＭＨｚで、ダウンリンク周波数は１８０５ＭＨｚであるセルと、セルマークがセル８で、「時分割複信」方式のセルに属し、アップリンク/ダウンリンク周波数は２５７０ＭＨｚであるセルである。
【００８７】
端末は該情報を受信し、現在既に起動した転送間隔様式シーケンスマークが６である１セットの転送間隔様式シーケンスが存在すると判定したので、端末は全ての現在既に起動した転送間隔様式シーケンスマークが６である１セットの転送間隔様式を停止し、ノードＢに報知する（ステップＳ６０６）。端末はＨＳ−ＤＰＣＣＨ物理チャネルを介して「転送間隔様式シーケンスマークが６である１セットの転送間隔様式を停止する」情報をノードＢに送信する。
【００８８】
その中、ＨＳ−ＤＰＣＣＨ物理チャネルの「肯定」領域の一番目のビットは「１」で、二番目のビットは「０」であって、ＨＳ−ＤＰＣＣＨ物理チャネルの「肯定」領域の三番目/四番目/五番目のビットの値は６で、「転送間隔様式シーケンスマーク」が６であることを示し、ＨＳ−ＤＰＣＣＨ物理チャネルの「肯定」領域の六番目のビットの値は０で、転送間隔様式シーケンスを「停止」する動作を示す。
【００８９】
端末とノードＢとの間の転送間隔様式シーケンスマークが６である１セットの転送間隔様式シーケンスを停止する（ステップＳ６０８）。
端末は測定ターゲットセルの情報に基づいて適切な転送間隔様式シーケンスを選択する（ステップＳ６１０）。
【００９０】
当該ステップは具体的には、測定ターゲットセルであるセル７が「周波数分割複信」方式に属すると、「転送間隔様式シーケンス測定用途」が「周波数分割複信測定」である第１セットの「転送間隔様式シーケンス」を選択し、「転送間隔様式シーケンスマーク」は１であって、測定ターゲットセルであるセル８が「時分割複信」方式に属すると、「転送間隔様式シーケンス測定用途」が「時分割複信測定」である第２セットの「転送間隔様式シーケンス」を選択し、「転送間隔様式シーケンスマーク」は２である。
【００９１】
端末は、「転送間隔様式シーケンスマーク」が１である転送間隔様式シーケンスを起動し、ノードＢに報知する（ステップＳ６１２）。端末は、ＨＳ−ＤＰＣＣＨ物理チャネルを介して「転送間隔様式シーケンスマークが１である転送間隔様式シーケンスを起動する」情報をノードＢに送信する。
【００９２】
その中、ＨＳ−ＤＰＣＣＨ物理チャネルの「肯定」領域の一番目のビットは「１」で、二番目のビットは「０」である。ＨＳ−ＤＰＣＣＨ物理チャネルの「肯定」領域の三番目/四番目/五番目のビットの値は１で、「転送間隔様式シーケンスマーク」が１であることを示し、ＨＳ−ＤＰＣＣＨ物理チャネルの「肯定」領域の六番目のビットの値は１で、転送間隔様式シーケンスを「起動」する動作を示す。
【００９３】
端末とノードＢとの間は依然として転送間隔様式シーケンスマークが１である転送間隔様式シーケンスに従って転送間隔を生成する（ステップＳ６１４）。該マークが１である転送間隔様式シーケンスによって生成される転送間隔において、端末はアップリンク周波数が１７１０ＭＨｚ/ダウンリンク周波数が１８０５ＭＨｚである周波数にてセル７を測定する。
【００９４】
端末は、「転送間隔様式シーケンスマーク」が２である転送間隔様式シーケンスを起動し、ノードＢに報知する（ステップＳ６１６）。端末は、ＨＳ−ＤＰＣＣＨ物理チャネルを介して「転送間隔様式シーケンスマークが２である転送間隔様式シーケンスを起動する」情報をノードＢに送信する。
【００９５】
その中、ＨＳ−ＤＰＣＣＨ物理チャネルの「肯定」領域の一番目のビットは「１」で、二番目のビットは「０」である。ＨＳ−ＤＰＣＣＨ物理チャネルの「肯定」領域の三番目/四番目/五番目のビットの値は２で、「転送間隔様式シーケンスマーク」が２であることを示し、ＨＳ−ＤＰＣＣＨ物理チャネルの「肯定」領域の六番目のビットの値は１で、転送間隔様式シーケンスを「起動」する動作を示す。
【００９６】
端末とノードＢとの間は依然として転送間隔様式シーケンスマークが２である転送間隔様式シーケンスに従って転送間隔を生成する（ステップＳ６１８）。該マークが２である転送間隔様式シーケンスによって生成された転送間隔において、端末はアップリンク/ダウンリンク周波数が２５７０ＭＨｚである周波数にてセル８を測定する。
【００９７】
本実施例の端末は無線ネットワークコントローラが報知した測定ターゲットセル７及び８の情報を受信した後、ターゲットセル７が「周波数分割複信」方式に属するので、マーク１に対応する転送間隔様式シーケンスを起動してセル７を測定し、ターゲットセル８が「時分割複信」方式に属するので、マーク２に対応する転送間隔様式シーケンスを起動してセル８を測定して、負荷分散メカニズム及びサービスベアラ特性メカニズムの場合に圧縮モードを起動できない問題を解決し、端末のサービス品質及びシステムの性能を向上する。
【００９８】
＜実施例６＞
本実施例によると端末を提供する。図７に示すように、該端末は、無線ネットワークコントローラからの測定ターゲットセルの情報を受信する受信ブロック７２と、
その中、本実施例において、無線ネットワークコントローラにより提供される測定ターゲットセルは一つであることができれば、複数であることもでき、例えば、負荷分散メカニズムにおいて、無線ネットワークコントローラが選択した負荷分散用の現在サービングセルの搬送波周波数間及び/又はシステム間の隣接セルであることができれば、サービスベアラ特性メカニズムにおいて、無線ネットワークコントローラが選択した端末のサービスを運ぶアクセスセルの搬送波周波数間及び/又はシステム間の隣接セルであることもでき、
受信ブロック７２に接続され、測定ターゲットセルの情報に基づいて、転送間隔様式シーケンスを確定するシーケンス確定ブロック７４と、
シーケンス確定ブロック７４に接続され、確定した転送間隔様式シーケンスに基づいて圧縮モードを起動して上記ターゲットセルを測定する起動ブロック７６と、を含む。
【００９９】
図８は、本実施例により提供される端末の具体的な構造を示すブロック図である。該端末は、更に、シーケンス確定ブロック７４に接続され、転送間隔様式シーケンス情報を記憶する情報記憶ブロック７８を含み、その中、転送間隔様式シーケンス情報は、測定用途情報と、測定用途に対応する転送間隔様式シーケンスマーク情報と、測定用途に対応する転送間隔情報とを含み、例えば、「転送間隔様式シーケンス」情報は具体的には、１セット又は複数セットの「転送間隔様式シーケンス」を含む。各セットの「転送間隔様式シーケンス」情報は、少なくとも、「転送間隔様式シーケンスマーク」情報と、「転送間隔様式シーケンス測定用途」情報と、「転送間隔様式１」及び/又は「転送間隔様式２」情報と、各「転送間隔様式」が一つの「転送間隔様式長さ」内で提供する転送間隔の情報などを含む。
【０１００】
上記に対応して、シーケンス確定ブロック７４は、測定ターゲットセルの情報及び転送間隔様式シーケンス情報に基づいて転送間隔様式シーケンスを確定するシーケンス確定ユニット７４２を含む。
【０１０１】
端末の情報記憶ブロック７８に記憶した転送間隔様式シーケンス情報を、１）端末と、ノードＢと、無線ネットワークコントローラが上記転送間隔様式シーケンス情報を予め約定する方式と、２）無線ネットワークコントローラが端末とノードＢに上記転送間隔様式シーケンス情報を配置する方式の中の一つによって取得することができる。例えば、システムが二番目の方式をとると、無線ネットワークコントローラはＲＲＣ（Radio  Resource  Control：無線リソース制御）プロトコル層の制御シグナルを介して端末に圧縮モードを起動する「転送間隔様式シーケンス」情報を配置すると共に、無線ネットワークコントローラはＮＢＡＰ（Node  B  Application  Part：ノードＢアプリケーション部分）プロトコル層の制御シグナルを介してノードＢに圧縮モードを起動する「転送間隔様式シーケンス」情報を配置することができる。端末は転送間隔様式シーケンス情報を取得した後、情報記憶ブロックによってこれらの情報を記憶する。
【０１０２】
上記受信ブロック７２が受信した測定ターゲットセルの情報が、セルマークと、セルが用いる方式種別指示と、セルの周波数と、を含み、その中、セルが用いる方式は、周波数分割複信方式、時分割複信方式、全地球移動通信システムＧＳＭ方式、進化型ユニバーサル地上無線アクセスＥ−ＵＴＲＡ方式を含み、シーケンス確定ユニット７４２が、
ターゲットセルが周波数分割複信方式を用いる場合、測定用途が周波数分割複信測定である転送間隔様式シーケンスを選択する第１シーケンス確定ユニットと、
ターゲットセルが時分割複信方式を用いる場合、測定用途が時分割複信測定である転送間隔様式シーケンスを選択する第２シーケンス確定ユニットと、
ターゲットセルがＧＳＭ方式を用いる場合、ＧＳＭ搬送波受信信号強度指示測定、ＧＳＭ基地局カラーコード認証初期認証、ＧＳＭ基地局カラーコード認証再確認の三つの測定用途に対応する転送間隔様式シーケンスを選択する第３シーケンス確定ユニットと、
ターゲットセルがＥ−ＵＴＲＡ方式を用いる場合、測定用途が時分割複信測定である転送間隔様式シーケンスを選択する第４シーケンス確定ユニットと、を含むことが好ましい。
【０１０３】
起動ブロック７６が、確定した転送間隔様式シーケンスをノードＢに通知する通知ユニットと、転送間隔様式シーケンスに従って測定ターゲットセル用の転送間隔を生成する起動ユニットと、を含むことが好ましい。転送間隔において、端末は測定ターゲットセルの周波数上で測定ターゲットセルを測定する。
【０１０４】
本発明の実施例において、上記「転送間隔様式シーケンスマーク」を３ビットによって符号化し、その値は０〜７の合計８個である。その中、値が０である「転送間隔様式シーケンスマーク」を「現在既に起動した全ての転送間隔様式シーケンス」を示すものとして保留すると約定し、端末が転送間隔様式シーケンスを停止する操作を行う場合のみに利用し、その他の値、即ち１〜７の合計７個の値は「転送間隔様式シーケンスマーク」に用いられ、各セットの「転送間隔様式シーケンス」を「転送間隔様式シーケンスマーク」によって唯一に認証する。転送間隔様式シーケンスの「起動」又は「停止」の動作を１ビットによって符号化して指示する。該ビットの値が「１」であると「起動」を示し、該ビットの値が「０」であると「停止」を示す。
【０１０５】
本発明の実施例において、ＨＳ−ＤＰＣＣＨを用いて確定した転送間隔様式シーケンスをノードＢに通知する。その中、ＨＳ−ＤＰＣＣＨ物理チャネルはアップリンク方向の制御チャネルで、ダウンリンクデータ受信情况に対する「肯定」/ダウンリンクデータの受信完了を「否定」するフィードバック情報を搭載し、また、ダウンリンクデータ受信品質の品質フィードバック情報を搭載する。ＨＳ−ＤＰＣＣＨ物理チャネルにおいて、ダウンリンクデータ受信情况の「肯定」/「否定」情報を搭載する領域は「肯定」領域と呼ばれる。
【０１０６】
上記「肯定」領域は、１０ビットから構成され、本実施例においてＨＳ−ＤＰＣＣＨ中の１０ビットの「肯定」領域における未使用コード部分を使用する。「肯定」領域の一番目のビットが「１」で、二番目のビットが「０」である場合、残りの８ビット、即ち全て０から全て１までの全てのコード値はいずれも関連技術に使用されていない。以下のＨＳ−ＤＰＣＣＨに係わる実施例において、「肯定」領域の一番目のビットが「１」で、二番目のビットが「０」である場合、「肯定」領域の三番目/四番目/五番目のビットで「転送間隔様式シーケンスマーク」を示す。その中、値が０である「転送間隔様式シーケンスマーク」を「現在既に起動した全ての転送間隔様式シーケンス」を示すものとして保留すると約定し、端末又はノードＢが転送間隔様式シーケンスを停止する操作を行う場合のみに使用し、その他の値、即ち１〜７の合計７個の値は「転送間隔様式シーケンスマーク」に用いられ、各セットの「転送間隔様式シーケンス」を「転送間隔様式シーケンスマーク」によって唯一に認証し、「肯定」領域の六番目のビットによって転送間隔様式シーケンスの「起動」又は「停止」の動作を示し、例えば、該ビットの値が「１」であると「起動」を示し、該ビットの値が「０」であると「停止」を示す。
【０１０７】
端末が新しい転送間隔様式シーケンスを起動する場合、現在既に起動した転送間隔様式シーケンスを停止し、ノードＢに該現在既に起動した転送間隔様式シーケンスを停止したことを通知することができる。端末は、ターゲットセルに対する戦略を完成した後、起動された転送間隔様式シーケンスは自動的に停止することができ、端末がセルハンドオーバーを完成した後、自動的に停止することもできる。
【０１０８】
本実施例の端末は、無線ネットワークコントローラが報知した測定ターゲットセルの情報を受信し、測定ターゲットセルの情報に基づいて適切な転送間隔様式シーケンスを確定し、圧縮モードを起動することによって、負荷分散メカニズム及びサービスベアラ特性メカニズムの場合に圧縮モードを起動できない問題を解決し、端末のサービス品質及びシステムの性能を向上する。
【０１０９】
＜実施例７＞
本実施例によると、通信システムを提供し、図９に示すように、該通信システムは、無線ネットワークコントローラ９２と、ノードＢ９４と、端末９６と、を備え、その中、ネットワークコントローラ９２と、ノードＢ９４と、端末９６との間は無線接続され、本実施例における無線ネットワークコントローラ９２は端末９６に測定ターゲットセルの情報を送信する。
【０１１０】
本実施例における端末９６の機能は実施例６における端末と同じで、受信ブロックと、シーケンス確定ブロックと、起動ブロックと、を含み、その具体的な機能の説明は省略する。
【０１１１】
本実施例の無線ネットワークコントローラ９２と、ノードＢ９４と、端末９６は予め、転送間隔様式シーケンス情報を約定し、又は、無線ネットワークコントローラ９２が予め、端末９６とノードＢ９４に転送間隔様式シーケンス情報を配置する。その中、転送間隔様式シーケンス情報の具体的な情報は実施例２又は実施例６と同じであるので、ここで説明を省略する。
【０１１２】
本実施例の端末は、無線ネットワークコントローラが報知した測定ターゲットセルの情報を受信し、測定ターゲットセルの情報に基づいて適切な転送間隔様式シーケンスを確定し、圧縮モードを起動することによって、負荷分散メカニズム及びサービスベアラ特性メカニズムの場合に圧縮モードを起動できない問題を解決し、端末のサービス品質及びシステムの性能を向上する。
【０１１３】
上述のとおり、本発明によると、端末が無線ネットワークコントローラが報知した測定ターゲットセルの情報を受信し、測定ターゲットセルの情報に基づいて適切な転送間隔様式シーケンスを確定し、圧縮モードを起動することによって、負荷分散メカニズム及びサービスベアラ特性メカニズムの場合に圧縮モードを起動できない問題を解決し、端末のサービス品質及びシステムの性能を向上する。
【０１１４】
当業者にとっては、上記本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかである。よって、本発明は如何なる特定のハードウェアとソフトウェアの結合にも限定されない。
【０１１５】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013533698.tif 000003
【図２】
2013533698.tif 000004
【図３】
2013533698.tif 000005
【図４】
2013533698.tif 000006
【図５】
2013533698.tif 000007
【図６】
2013533698.tif 000008
【図７】
2013533698.tif 000009
【図８】
2013533698.tif 000010
【図９】
2013533698.tif 000011
【国際調査報告】
2013533698.tif 000012
2013533698.tif 000013
2013533698.tif 000014
2013533698.tif 000015
2013533698.tif 000016
2013533698.tif 000017